(57)【要約】【課題】漫画のキャラクターなどの色彩豊かな表示を行うことができるとともに、大当たりなどの特別の表示を表現力豊かに表示することができる電光表示盤を提供することを目的とする。【解決手段】側面から光を入射させると、該入射光が全面で拡散され、該入射光の色合いで全面が光る後側導光板と、該後側導光板の前側に配置され、任意の図柄が描かれた透光性のシートと、該シートの前側に配置され、任意の図柄が拡散加工で刻まれ、側面から光を入射させると、該入射光が前記拡散加工された図柄部分で拡散されて、該図柄が強調表示される前側導光板と前記後側導光板の側面から光を入射させる後側照明手段と、前記前側導光板の側面から光を入射させる前側照明手段とを備えるようにする。【選択図】図３
0003128538.tif 000002
【実用新案登録請求の範囲】
【請求項１】
側面から光を入射させると、該入射光が全面で拡散され、該入射光の色合いで全面が光る後側導光板と、
該後側導光板の前側に配置され、任意の図柄が描かれた透光性のシートと、
該シートの前側に配置され、任意の図柄が拡散加工で刻まれ、側面から光を入射させると、該入射光が前記拡散加工された図柄部分で拡散されて、該図柄が強調表示される前側導光板と
前記後側導光板の側面から光を入射させる後側照明手段と、
前記前側導光板の側面から光を入射させる前側照明手段と
を備えることを特徴とする電光表示盤。
【請求項２】
請求項１に記載の電光表示盤において、
基板上の右側と左側に、２列の溝部分を有するレール部材を固着し、右側レール部材の後側溝部分と左側レール部材の後側溝部分に前記後側導光板を差し入れ、右側レール部材の前側溝部分と左側レール部材の前側溝部分に前記前側導光板を差し入れ、前記シートは前記後側導光板と前記前側導光板との間に差し入れて構成することを特徴とする電光表示盤。
【請求項３】
請求項２に記載の電光表示盤において、
前記後側照明手段は、前記右側レール部材の後側溝部分の底面に配置されたＬＥＤと、左側レール部材の後側溝部分の底面に配置されたＬＥＤとを備え、
前記前側照明手段は、前記右側レール部材の前側溝部分の底面に配置されたＬＥＤと、左側レール部材の前側溝部分の底面に配置されたＬＥＤとを備えることを特徴とする電光表示盤。
【請求項４】
請求項３に記載の電光表示盤において、
前記各溝部分の底面に配置されたＬＥＤは、三原色のＬＥＤを交互に配置し、各色のＬＥＤを直列接続し、所定の電圧を印加することにより各ＬＥＤに所定の標準電流が流れて点灯されるものであることを特徴とする電光表示盤。
【請求項５】
請求項１から４の何れか１つに記載の電光表示盤において、
通常待機表示が指定されたとき、前記前側照明手段を消灯し、前記後側照明手段を色合いを徐々に変更しながら点灯する照明制御手段を、さらに備えることを特徴とする電光表示盤。
【請求項６】
請求項１から５の何れか１つに記載の電光表示盤において、
大当たり表示が指定されたとき、前記後側照明手段を消灯し、前記前側照明手段を所定の色の順序で、各色毎に所定時間点灯し所定時間消灯する照明制御手段を、さらに備えることを特徴とする電光表示盤。
【請求項７】
請求項６に記載の電光表示盤を複数台左右に並べ、隣り合う電光表示盤同士を指示信号を送受信するための接続線で接続し、(1)大当たり表示が指定された電光表示盤から左右の隣の電光表示盤に、自機の前側照明手段の点灯から所定時間遅延させて同じ点灯を指示する点灯信号を送信し、自機の前側照明手段の消灯から所定時間遅延させて同じ消灯を指示する消灯信号を送信し、(2)該点灯信号や消灯信号を受信した電光表示盤では、該点灯信号や消灯信号に応じて自機の前側照明手段の点灯および消灯を行うとともに、該点灯信号や消灯信号が送信されてきたのとは逆隣の電光表示盤に、自機の前側照明手段の点灯から所定時間遅延させて同じ点灯を指示する点灯信号を送信し、自機の前側照明手段の消灯から所定時間遅延させて同じ消灯を指示する消灯信号を送信するようにし、(3)これにより大当たり表示が指定された電光表示盤から左右に光が流れていくような態様で表示を行うことを特徴とする電光表示盤。
【考案の詳細な説明】
【技術分野】
【０００１】
本考案は、パチンコゲーム機やスロットマシンゲーム機の上部に配置し、ゲーム機の作動状態などを表示する電光表示盤に関する。
【背景技術】
【０００２】
パチンコゲーム機の上部に配置する電光表示盤としては、従来、特許文献１〜３に記載のものが知られている。特許文献１のものは、パチンコゲーム機の上部に配置した電光表示盤に押しボタンを設け、遊技者がこの押しボタンを押すことによって、電光表示部に所定のメッセージを表示して店員に知らせるものである。特許文献２は、複数の光透過性のアクリル酸樹脂板を重ねて積層し、それらのアクリル板の少なくとも１枚の片側表面には彫刻を施し、そのアクリル板の側端面からそれぞれ別個に光を照射可能とした電光表示盤が開示されている。特許文献３には、通常はそのゲーム機の入賞成績情報を表示し、入賞状態の確認信号の入力によりその入賞中を示す表示に切り替わるようにした電光表示盤が開示されている。
【特許文献１】特開平５−１２３４５０号
【特許文献２】特開平９−１６０５１２号
【特許文献３】実用新案登録第３０１４１０５号
【考案の開示】
【考案が解決しようとする課題】
【０００３】
特許文献１や特許文献３に記載の電光表示盤は、種々の表示ができるものではあるが、大当たりのときの表示などが面白味に欠けるものであった。特許文献２に記載のものは、アクリル板の側面から光を照射してその彫刻部分を光らせるものであるが、アクリル板に彫刻を施して強調をするものであるので、漫画のキャラクターなどの色彩豊かな表示ができないという問題がある。
【０００４】
本考案は、上述の従来技術における問題点に鑑み、漫画のキャラクターなどの色彩豊かな表示を行うことができるとともに、大当たりなどの特別の表示を表現力豊かに表示することができる電光表示盤を提供することを目的とする。
【課題を解決するための手段】
【０００５】
上記目的を達成するため、請求項１に係る考案は、側面から光を入射させると、該入射光が全面で拡散され、該入射光の色合いで全面が光る後側導光板と、該後側導光板の前側に配置され、任意の図柄が描かれた透光性のシートと、該シートの前側に配置され、任意の図柄が拡散加工で刻まれ、側面から光を入射させると、該入射光が前記拡散加工された図柄部分で拡散されて、該図柄が強調表示される前側導光板と前記後側導光板の側面から光を入射させる後側照明手段と、前記前側導光板の側面から光を入射させる前側照明手段とを備えることを特徴とする。
【０００６】
請求項２に係る考案は、請求項１に記載の電光表示盤において、基板上の右側と左側に、２列の溝部分を有するレール部材を固着し、右側レール部材の後側溝部分と左側レール部材の後側溝部分に前記後側導光板を差し入れ、右側レール部材の前側溝部分と左側レール部材の前側溝部分に前記前側導光板を差し入れ、前記シートは前記後側導光板と前記前側導光板との間に差し入れて構成することを特徴とする。
【０００７】
請求項３に係る考案は、請求項２に記載の電光表示盤において、前記後側照明手段は、前記右側レール部材の後側溝部分の底面に配置されたＬＥＤと、左側レール部材の後側溝部分の底面に配置されたＬＥＤとを備え、前記前側照明手段は、前記右側レール部材の前側溝部分の底面に配置されたＬＥＤと、左側レール部材の前側溝部分の底面に配置されたＬＥＤとを備えることを特徴とする。
【０００８】
請求項４に係る考案は、請求項３に記載の電光表示盤において、前記各溝部分の底面に配置されたＬＥＤは、三原色のＬＥＤを交互に配置し、各色のＬＥＤを直列接続し、所定の電圧を印加することにより各ＬＥＤに所定の標準電流が流れて点灯されるものであることを特徴とする。
【０００９】
請求項５に係る考案は、請求項１から４の何れか１つに記載の電光表示盤において、通常待機表示が指定されたとき、前記前側照明手段を消灯し、前記後側照明手段を色合いを徐々に変更しながら点灯する照明制御手段を、さらに備えることを特徴とする。
【００１０】
請求項６に係る考案は、請求項１から５の何れか１つに記載の電光表示盤において、大当たり表示が指定されたとき、前記後側照明手段を消灯し、前記前側照明手段を所定の色の順序で、各色毎に所定時間点灯し所定時間消灯する照明制御手段を、さらに備えることを特徴とする。
【００１１】
請求項７に係る考案は、請求項６に記載の電光表示盤を複数台左右に並べ、隣り合う電光表示盤同士を指示信号を送受信するための接続線で接続し、(1)大当たり表示が指定された電光表示盤から左右の隣の電光表示盤に、自機の前側照明手段の点灯から所定時間遅延させて同じ点灯を指示する点灯信号を送信し、自機の前側照明手段の消灯から所定時間遅延させて同じ消灯を指示する消灯信号を送信し、(2)該点灯信号や消灯信号を受信した電光表示盤では、該点灯信号や消灯信号に応じて自機の前側照明手段の点灯および消灯を行うとともに、該点灯信号や消灯信号が送信されてきたのとは逆隣の電光表示盤に、自機の前側照明手段の点灯から所定時間遅延させて同じ点灯を指示する点灯信号を送信し、自機の前側照明手段の消灯から所定時間遅延させて同じ消灯を指示する消灯信号を送信するようにし、(3)これにより大当たり表示が指定された電光表示盤から左右に光が流れていくような態様で表示を行うことを特徴とする。
【考案の効果】
【００１２】
本考案によれば、通常は漫画のキャラクターなどの色彩豊かな表示を行うことができるとともに、大当たりなどの特別の表示を表現力豊かに表示することができるという効果がある。
【考案を実施するための最良の形態】
【００１３】
以下、本考案を実施する一形態例を説明する。
【００１４】
図１は、本考案の一実施形態に係る電光表示盤の外観図である。電光表示盤１００の前面部分にディスプレイ画面１０１が設けられ、この画面１０１に電光表示がなされる。
【００１５】
図２は、パチンコゲーム機２０１の上部に、本実施形態の電光表示盤１００を設置した様子を示す。
【００１６】
次に、電光表示盤１００の機械的な構造を説明する。図３は、電光表示盤１００を構成するベース基板３０１と、ベース基板３０１に差し込む導光板などを示す。３０３は前側導光板、３０４は宣伝シート、３０５は後側導光板を示す。導光板３０３，３０５は、２ミリ〜数ミリ程度の厚みを持つアクリル板などのある程度の剛性を持つ透明な板である。前側導光板３０３には、例えば図３（ｃ）に示すような図柄が拡散加工してある。拡散加工というのは、この前側導光板３０３に側面の厚み部分から光を入射させたとき、図３（ｃ）に示されているような図柄が強調され浮き出るように表示されるように、当該図柄部分で光を拡散させるための加工である。後側導光板３０５にも同様の拡散加工が施されているが、後側導光板３０５では側面から入射した光が導光板３０５の全面で発光するように、全面に拡散加工がしてある。宣伝シート３０４は、可撓性のシートで、例えば図３（ｄ）に示されるようなキャラクタなどの着色図柄が描かれている。宣伝シート３０４は、ある程度の透光性を持つものであるので、後側から光を当てることにより着色図柄が強調されて表示されるようなものである。
【００１７】
図３（ｂ）のベース基板３０１の右側と左側には導光板などを挿入するためのレール部材３１１Ｌ，３１１Ｒが固着されている。３０２は電気回路のプリント基板である。
【００１８】
図４（ａ）は、図３（ｂ）に示した左側レール部材３１１Ｌの拡大図である。左側レール部材３１１Ｌは、断面がＥの形をなすような突出部を持つレール部分４０１，４０２，４０３を備えており、これにより溝部分４０４，４０５が形成されている。基板３０１の右側に固着された右レール部材３１１Ｒも同様のものである。この溝部分４０４を利用して後側導光板３０５と宣伝シート３０４をこの後側溝部４０４に差し入れる形で装着する。同様に、前側導光板３０３を前側溝部４０５に差し入れる形で装着する。その後、図５に示すカバー部５０１をベース基板３０１に被せて固定し、図１の電光表示盤１００を形成する。カバー部５０１は前面部分が開口部５０２となっており、導光板３０３はこの開口部５０２から露出する。
【００１９】
図４（ａ）のレール部材の溝部４０４および４０５の底面部４０６，４０７には、それぞれＬＥＤ基板が固着されている。図４（ｂ）にＬＥＤ基板４１１を示す。４１２はＬＥＤである。図４（ｃ）は、図３（ｂ）の左側レール部材３１１Ｌを矢印Ａの方向から見たときの外観を示す。溝部４０４および４０５の底面にそれぞれＬＥＤ基板が固着され、ＬＥＤ４１２が配置されている。なお、ＬＥＤの個数は任意であるが、この実施形態では、１枚のＬＥＤ基板４１１にＲＧＢの三原色のチップＬＥＤが各１２個交互に配置され、１列のＬＥＤ基板４１１で３６個のＬＥＤが設けられている。
【００２０】
次に、本実施形態の電光表示盤１００における表示の態様について説明する。電光表示盤１００の電源がオフされている状態では、宣伝シート３０４に描かれている着色図柄が見えている状態である。前側導光板３０３に拡散加工してある図柄は、当該図柄があることが見える程度であり電源オフの状態では目立たない。電源がオンされ、後側導光板３０５の側面のＬＥＤが点灯されると、導光板３０５の全面が発光するので、宣伝シート３０４の着色図柄が導光板３０５の調光色と混合されて表示される。
【００２１】
通常待機表示の状態では、後側導光板３０５を調光するＬＥＤランプを自動的に乱数で選択された色合いを少しずつずらしながら、赤、橙、黄、緑、青とその中間色も合わせて、少しずつずらしながら点灯させる。これにより、色が変化しながら宣伝シート３０４の着色図柄が目立つような表示がなされる。このときは、前側導光板３０３のＬＥＤは消灯されており、前側導光板３０３に拡散加工してある図柄はほとんど目立たない。
【００２２】
パチンコ台などのゲーム機に大当たりが出るなどゲームに変化があった場合、後側導光板３０５を発光させるＬＥＤは消灯され、前側導光板３０３を面発光させるＬＥＤの表示に切り替わる。これにより、前側導光板３０３に刻まれている磨りガラス風の模様が調光表示される。色の切り替えは、例えば赤、白、青、紫など原色表現で切り替わり、かつオンオフ点滅させる表示としている。
【００２３】
さらに、複数台が並んだゲーム機の上に設置された複数の電光表示盤で同調した発光動作が行えるようにしてある。例えば、あるゲーム機で大当たりが発生したとき、そのゲーム機の電光表示盤１００では以下の動作を行う。（１）全ての発光を１秒間停止させる。消灯信号を左右の電光表示盤に送信する。（２）前側導光板３０３のＬＥＤを、白、青、緑、紫、黄、赤の順で、それぞれ０．５秒間点灯／その後０．５秒間消灯させる。（３）上記（２）の各色の点灯後０．２秒後に、その色の点灯信号を左右の電光表示盤に送信する。（４）上記（２）の各色の消灯後０．２秒後に、消灯信号を左右の電光表示盤に送信する。（５）点灯信号や消灯信号を受け取った電光表示盤では、指示に従った色で前側導光板３０３のＬＥＤを点灯あるいは消灯する。以上の動作により、大当たりを発生した電光表示盤から隣に０．２秒の信号遅れで点灯と消灯が連絡されるため、光が流れていくような態様（ランニングと呼ぶ）で隣り合う複数台の電光表示盤の表示を行うことができる。
【００２４】
以上のような表示態様が主であるが、そのほかに、不正（磁石を検出した場合など）の検出がされた場合は、後側導光板３０５が赤紫色で点滅するようにしている。また、予備入力としてゲーム機に確率変動などの状態の変化があった場合、後側導光板３０５が黄色で点滅をするようにしている。
【００２５】
次に、本実施形態の電光表示盤１００の制御回路の構成について説明する。
【００２６】
図６は、１台の電光表示盤１００の回路構成を示すブロック図である。照明制御基板６００は、図３（ｂ）の３０２に設けられた基板である。照明制御基板６００上に、制御回路６０１、バック照明用のＬＥＤドライブ回路６０２、およびフロント照明用のＬＥＤドライブ回路６０３が設けられている。制御回路６０１には、電源の入力端子のほか、大当たり入力６１１、不正入力６１２、予備入力６１３、左隣からのランニング入力６２１、左隣へのランニング出力６２２、右隣へのランニング出力６２３、および右隣からのランニング入力６２４の各信号端子が設けられている。大当たり入力６１１は、この電光表示盤１００の下に設置されているパチンコゲーム機から出力される大当たり信号の入力端子である。不正入力６１２は、当該ゲーム機において不正が検出されたときに出力される不正信号の入力端子である。予備入力６１３は、当該ゲーム機において確率変動などの所定の状態変化があったときに出力される予備信号の入力端子である。ランニング入力（左隣りから）６２１とランニング出力（左隣りへ）６２２は、それぞれ、左隣に設置された電光表示盤のランニング出力（右隣りへ）６２３およびランニング入力（右隣りから）６２４と接続する端子である。同様に、ランニング出力（右隣りへ）６２３およびランニング入力（右隣りから）６２４は、それぞれ、右隣に設置された電光表示盤のランニング入力（左隣りから）６２１およびランニング出力（左隣りへ）６２２と接続する端子である。ＬＥＤドライブ回路６０２は、制御回路６０１の指示に応じて、バック照明側のＬＥＤ基板６１４（図３の後側導光板３０５の側面のＬＥＤ基板）を駆動するドライブ回路である。同様に、ＬＥＤドライブ回路６０３は、制御回路６０１の指示に応じて、フロント照明側のＬＥＤ基板６１５（図３の前側導光板３０３の側面のＬＥＤ基板）を駆動するドライブ回路である。
【００２７】
図７は、複数の電光表示盤の照明制御基板の接続形態を示す。複数のパチンコ台が並べられているとき、各パチンコ台に対応して電光表示盤１００が設置されるので、隣り合うパチンコ台の照明制御基板６００をランニング入力端子（図６の６２１，６２４）およびランニング出力端子（図６の６２２，６２３）で接続する。なお、一番右側の照明制御基板の右隣り側ランニング入出力の端子と一番左側の照明制御基板の左隣り側ランニング入出力の端子には何も接続しない。パチンコ台出力端子７０２から大当たり信号、不正信号、予備信号などが出力されるので、照明制御基板６００の対応する入力端子（図６の６１１〜６１３）に接続する。制御ボックス７００は、照明色・変化パターン設定スイッチ７０１を備え、全体の動作を制御する装置である。制御ボックス７００からの指示信号は、シリアルデータの転送ケーブルで、任意の１台の照明制御基板６００に入力する。制御ボックス７００からの指示信号は、ランニング入出力の接続を利用して、各照明制御基板に伝えられる。
【００２８】
図８は、１枚のＬＥＤ基板８００のＬＥＤの接続状態を示す。８０１，８０２が、青色のＬＥＤの駆動端子である。この入力端子８１１，８１２に印加された電圧が直列接続されている青色ＬＥＤ群８１３に供給され、これにより複数の青色のＬＥＤが発光される。緑および赤のＬＥＤについても同様である。
【００２９】
図９の各フローチャートは、１台の照明制御基板６００の制御回路６０１における動作を示す。図９（ａ）は、通常待機表示の手順である。ステップ９０１で、バック照明を、設定された照明色および変化パターンで点灯する処理を繰り返す。これにより、後側導光板３０５が、自動的に乱数で選択された色合いを少しずつずらしながら、途中の中間色も表示するような色変化で表示がなされる。これにより、図３の宣伝シート３０４の着色図柄が、色合いが変化するバック照明で強調されて表示される。
【００３０】
図９（ｂ）は、大当たり入力信号があったときの動作を示す。ステップ９１１で、ランニング入出力の接続を利用して、消灯信号を左右の電光表示盤へ送信する。ステップ９１２で、この電光表示盤における全ての発光を１秒間停止する。ステップ９１３で、設定された色の順で発光色を決定する。ここでは、白、青、緑、白の順に発光色を決めるものとする。ステップ９１４で、決定した発光色でフロント照明を点灯する。ステップ９１５で、その点灯後０．２秒待機する。ステップ９１６で、当該発光色の点灯信号を左右の電光表示盤に送信する。ステップ９１７で点灯後０．５秒経過したか判別し、０．５秒経過したときは、ステップ９１８でフロント照明を消灯する。ステップ９１９で、その消灯後０．２秒待機し、ステップ９２０で消灯信号を左右の電光表示盤に送信する。ステップ９２１でフロント照明の消灯後０．５秒待機し、ステップ９１３に戻って、次の発光色で同じ処理を繰り返す。設定された色の順で全ての色を点灯したときには、ステップ９２２で、設定された点滅パターンでフロント照明を点灯した後、通常待機表示に戻る。以上により、大当たりした台の電光表示盤で図３の前側導光板３０３の図柄が強調されて表示される。
【００３１】
図９（ｃ）は、隣の電光表示盤から消灯信号を受信したときの処理手順を示す。ステップ９３１で全ての発光を停止し、ステップ９３２で消灯後０．２秒待機する。その後、ステップ９３３で、反対側の隣の電光表示盤に消灯信号を送信し、終了する。
【００３２】
図９（ｄ）は、隣の電光表示盤から点灯信号を受信したときの処理手順を示す。ステップ９４１で、その点灯信号で指示されている発光色でフロント照明を点灯する。ステップ９４２で点灯後０．２秒待機し、ステップ９４３で反対側の隣の電光表示盤に同じ点灯信号を転送し、終了する。
【００３３】
以上の図９（ｂ）、（ｃ）、（ｄ）の処理により、大当たりのときに、大当たりした台の電光表示盤から光が左右に流れていくような表示が為される。
【００３４】
図９（ｅ）は、不正信号を検出したときの処理手順を示す。ステップ９５１で、バック照明を赤紫色で１秒間の間隔でオンオフ点滅させる。この表示処理は、不正信号が入力し続ける限り継続される。
【００３５】
図９（ｆ）は、予備信号が入力されたときの処理手順を示す。ステップ９６１で、バック照明を黄色で１秒間の間隔でオンオフ点滅させる。この処理は、予備信号が入力されている限り継続される。
【００３６】
なお、大当たり信号、不正信号、および予備信号が入力されなくなったときは、１秒間の待機時間を経て通常待機表示に戻るものとする。
【図面の簡単な説明】
【００３７】
【図１】本考案の一実施形態に係る電光表示盤の外観図
【図２】パチンコゲーム機の上部に設置した状態を示す図
【図３】電光表示盤の内部構造を示す図
【図４】レール部材を示す図
【図５】カバー部を示す図
【図６】電光表示盤の回路構成図
【図７】複数の電光表示盤の照明制御基板の接続図
【図８】ＬＥＤ基板のＬＥＤ接続図
【図９】制御回路の動作を示すフローチャート
【符号の説明】
【００３８】
１００…電光表示盤、１０１…ディスプレイ画面、２０１…パチンコゲーム機、３０１…ベース基板、３０２…電気回路のプリント基板、３０３…前側導光板、３０４…宣伝シート、３０５…後側導光板、３１１Ｌ…左側レール部材、３１１Ｒ…右側レール部材、４０１，４０２，４０３…レール部分、４０４，４０５…溝部分、４０６，４０７…レール部材の溝部４０４および４０５の底面部、４１１…ＬＥＤ基板、４１２…ＬＥＤ、５０１…カバー部、５０２…開口部、６００…照明制御基板、６０１…制御回路、６０２…バック照明用のＬＥＤドライブ回路、６０３…フロント照明用のＬＥＤドライブ回路、６１１…大当たり入力、６１２…不正入力、６１３…予備入力、６１４…バック照明側のＬＥＤ基板、６１５…フロント照明側のＬＥＤ基板、６２１…左隣からのランニング入力、６２２…左隣へのランニング出力、６２３…右隣へのランニング出力、６２４…右隣からのランニング入力。
【図１】
0003128538.tif 000003
【図２】
0003128538.tif 000004
【図３】
0003128538.tif 000005
【図４】
0003128538.tif 000006
【図５】
0003128538.tif 000007
【図６】
0003128538.tif 000008
【図７】
0003128538.tif 000009
【図８】
0003128538.tif 000010
【図９】
0003128538.tif 000011
【手続補正書】
【提出日】平成18年11月1日(2006.11.1)
【手続補正１】
【補正対象書類名】実用新案登録請求の範囲
【補正対象項目名】全文
【補正方法】変更
【補正の内容】
【実用新案登録請求の範囲】
【請求項１】
側面から光を入射させると、該入射光が全面で拡散され、該入射光の色合いで全面が光る後側導光板と、
該後側導光板の前側に配置され、第１の図柄が描かれた透光性のシートと、
該シートの前側に配置され、第２の図柄が拡散加工で刻まれ、側面から光を入射させると、該入射光が前記拡散加工された第２の図柄部分で拡散されて、該第２の図柄が強調表示される前側導光板と
前記後側導光板の側面から光を入射させる後側照明手段と、
前記前側導光板の側面から光を入射させる前側照明手段と
を備えることを特徴とする電光表示盤。
【請求項２】
請求項１に記載の電光表示盤において、
基板上の右側と左側に、２列の溝部分を有するレール部材を固着し、右側レール部材の後側溝部分と左側レール部材の後側溝部分に前記後側導光板を差し入れ、右側レール部材の前側溝部分と左側レール部材の前側溝部分に前記前側導光板を差し入れ、前記シートは前記後側導光板と前記前側導光板との間に差し入れて構成することを特徴とする電光表示盤。
【請求項３】
請求項２に記載の電光表示盤において、
前記後側照明手段は、前記右側レール部材の後側溝部分の底面に配置されたＬＥＤと、左側レール部材の後側溝部分の底面に配置されたＬＥＤとを備え、
前記前側照明手段は、前記右側レール部材の前側溝部分の底面に配置されたＬＥＤと、左側レール部材の前側溝部分の底面に配置されたＬＥＤとを備えることを特徴とする電光表示盤。
【請求項４】
請求項３に記載の電光表示盤において、
前記各溝部分の底面に配置されたＬＥＤは、三原色のＬＥＤを交互に配置し、各色のＬＥＤを直列接続し、所定の電圧を印加することにより各ＬＥＤに所定の標準電流が流れて点灯されるものであることを特徴とする電光表示盤。
【請求項５】
請求項１から４の何れか１つに記載の電光表示盤において、
通常待機表示が指定されたとき、前記前側照明手段を消灯し、前記後側照明手段を色合いを徐々に変更しながら点灯する照明制御手段を、さらに備えることを特徴とする電光表示盤。
【請求項６】
請求項１から５の何れか１つに記載の電光表示盤において、
大当たり表示が指定されたとき、前記後側照明手段を消灯し、前記前側照明手段を所定の色の順序で、各色毎に所定時間点灯し所定時間消灯する照明制御手段を、さらに備えることを特徴とする電光表示盤。
【請求項７】
請求項６に記載の電光表示盤を複数台左右に並べ、隣り合う電光表示盤同士を指示信号を送受信するための接続線で接続し、(1)大当たり表示が指定された電光表示盤から左右の隣の電光表示盤に、自機の前側照明手段の点灯から所定時間遅延させて同じ点灯を指示する点灯信号を送信し、自機の前側照明手段の消灯から所定時間遅延させて同じ消灯を指示する消灯信号を送信し、(2)該点灯信号や消灯信号を受信した電光表示盤では、該点灯信号や消灯信号に応じて自機の前側照明手段の点灯および消灯を行うとともに、該点灯信号や消灯信号が送信されてきたのとは逆隣の電光表示盤に、自機の前側照明手段の点灯から所定時間遅延させて同じ点灯を指示する点灯信号を送信し、自機の前側照明手段の消灯から所定時間遅延させて同じ消灯を指示する消灯信号を送信するようにし、(3)これにより大当たり表示が指定された電光表示盤から左右に光が流れていくような態様で表示を行うことを特徴とする電光表示盤。
【手続補正２】
【補正対象書類名】明細書
【補正対象項目名】０００５
【補正方法】変更
【補正の内容】
【０００５】
上記目的を達成するため、請求項１に係る考案は、側面から光を入射させると、該入射光が全面で拡散され、該入射光の色合いで全面が光る後側導光板と、該後側導光板の前側に配置され、第１の図柄が描かれた透光性のシートと、該シートの前側に配置され、第２の図柄が拡散加工で刻まれ、側面から光を入射させると、該入射光が前記拡散加工された第２の図柄部分で拡散されて、該第２の図柄が強調表示される前側導光板と前記後側導光板の側面から光を入射させる後側照明手段と、前記前側導光板の側面から光を入射させる前側照明手段とを備えることを特徴とする。